(57)【特許請求の範囲】
【請求項１】
スキーストック、トレッキング用ストック、クロスカントリー用ストック及びノルディックウォーキング用ストックのための長さ調節可能な管（１０）であって、
少なくとも１つの外側管（１２）と、
管の長さを調節するために前記外側管（１２）内に入れ子状に挿入可能な１つの内側管（１１）と、
前記内側管（１１）の挿入端部に保持される拡張装置（１５）とを有し、前記拡張装置（１５）により前記内側管（１１）が前記外側管（１２）内で軸方向に締め付け固定可能であり、
前記拡張装置（１５）が、
半径方向に押し開き可能で、雌型コーン（２７）が設けられた拡張要素（１６）と、
逆向きの雄型コーン（２２）が設けられ、前記拡張要素（１６）内に軸方向に移動可能に収容される内側要素（１７）と、
前記内側管（１１）上に回転できないように保持され、前記内側要素（１７）の雌ねじ付き穴（２１）と作用連結されている軸方向に向く調節ねじ（１８）とを備え、
前記拡張要素（１６）が前記調節ねじ（１８）が通り抜けるねじなしの通路開口部（３７）を有する長さ調節可能な管において、
前記拡張要素（１６）上又は中に締め付け部分（１）が配置され、該締め付け部分（１）は、半径方向に、少なくとも接触面（２）の領域において、緩められた状態で、前記内側要素（１７）との相互作用の結果生じる拡張領域（３６）における前記拡張要素（１６）の半径（ｒ１）より大きい半径（ｒ２）を有し、
前記締め付け部分（１）を、少なくとも前記接触面（２）の領域において、軸（Ａ）のほうへ少なくとも前記拡張要素（１６）の半径（ｒ１）まで復元力に対抗して弾性的に内側にずらす又は移動させることが可能であり、
前記拡張要素（１６）が、前記内側管（１１）の方に向くその軸方向領域に、前記内側要素（１７）によって、好ましくは、わずかだけ拡張されるか又は実質的には拡張されない円筒形部分（３８）を有し、及び、前記締め付け部分（１）が、前記円筒形部分（３８）に配置され、
前記締め付け部分（１）が、２つの軸方向に延びるスリット（３）により前記円筒形部分（３８）から分かれて形成される少なくとも１つのタブの形で形成され、前記タブは、前記円筒形部分（３８）への弾性連結部として作用するアーム（４）を介して、前記円筒形部分（３８）に少なくとも片側で接続されることを特徴とする、長さ調節可能な管。
【請求項２】
前記円筒形部分（３８）は、好ましくは、前記拡張要素（１６）が前記内側要素（１７）によって拡張される、前記外側管（１２）の方に向く側に配置される前記拡張要素（１６）の拡張領域（３６）より小さい外径を有することを特徴とする、請求項１に記載の長さ調節可能な管。
【請求項３】
前記タブが、前記内側管（１１）の方に向く自由端部を備え、この領域において好ましくは、半径方向外側に向き、好ましくは前記外側管（１２）の内面に適合される円錐状に延びる接触面を提供することを特徴とする、請求項１又は２に記載の長さ調節可能な管。
【請求項４】
前記拡張要素（１６）上に、少なくとも２つの締め付け部分（１）が、好ましくは対向して位置するように、又は、２つより多い場合は、周囲に均等に分布されて配置されることを特徴とする、請求項１〜３のいずれかに記載の長さ調節可能な管。
【請求項５】
前記締め付け部分（１）のより大きな半径（ｒ２）が、緩めた状態での前記拡張要素（１６）の半径（ｒ１）より、少なくとも１％、好ましくは少なくとも２％、特に好ましくは３〜８％の範囲で大きいことを特徴とする、請求項１〜４のいずれかに記載の長さ調節可能な管。
【請求項６】
前記締め付け部分（１）が、前記拡張要素と一体的に形成されることを特徴とする、請求項１〜５のいずれかに記載の長さ調節可能な管。
【請求項７】
前記拡張装置（１５）の方に向く前記内側管（１１）の止め面（３０）上及び／又は前記内側要素（１７）の前記内側管（１１）の方に向くその止め面（２４）上に、それぞれ軸方向に延びる突起部（２５，２８）が配置されることを特徴とする、請求項１〜６のいずれかに記載の長さ調節可能な管。
【請求項８】
前記突起部（２５，２８）が、周方向に徐々に立ち上がり、軸方向の止め面（３４，３５）で終端する傾斜部（２５，２８）の形で形成され、該傾斜部が、０．１〜３ｍｍの範囲、好ましくは、０．２〜１ｍｍの範囲の軸方向高さを有することを特徴とする、請求項７に記載の長さ調節可能な管。
【請求項９】
前記内側管（１１）上と前記内側要素（１７）上の両方に、そのような突起部（２５，２８）を配置すること、及び、これらが、前記内側要素（１７）を前記内側管（１１）の方に回し下げると、前記２つの軸方向の止め面（３４，３５）を平面的に当接する位置へと動かすことができるように、逆方向に形成されることを特徴とする、請求項８に記載の長さ調節可能な管。
【請求項１０】
前記拡張要素（１６）の雌型コーン（２７）が、前記内側管（１１）に向かって開くように延びること、及び、前記拡張要素（１６）が、前記内側管（１１）上の内側止め部（３０）と、好ましくは前記調節ねじ（１８）の自由端部上の、外側止め部（２６）との間に、わずかな限度内で軸方向に移動可能に保持され、この軸方向の遊びは、好ましくは０．１〜５ｍｍの範囲、特に好ましくは０．２５〜２．５ｍｍの範囲であることを特徴とする、請求項１〜９のいずれかに記載の長さ調節可能な管。
【請求項１１】
前記拡張要素（１６）が、カップ状に形成され、カップの底部を前記内側管（１１）とは反対側の、前記調節ねじ（１８）の自由端部領域が、前記ねじなしの通路開口部（３７）を通って貫通することを特徴とする、請求項１０に記載の長さ調節可能な管。
【請求項１２】
前記拡張要素（１６）の周囲領域に、軸方向長さ全体にわたって延びるスリット（４４）と、好ましくは、さらに、周囲上に対向して配置され、実質的に前記内側管（１１）の方に向く前記拡張要素（１６）の円筒形部分（３８）まで拡張要素を通って延びるスリット（４３）が設けられ、好ましくは、前記雄型コーン（２２）が設けられる前記内側要素（１７）が、前記拡張要素（１６）の軸方向スリット（４３，４４）でガイドされる１又はそれ以上の半径方向のウィング（４１，４２）を備えることを特徴とする、請求項１〜１１のいずれかに記載の長さ調節可能な管。
【請求項１３】
前記拡張装置（１５）が、前記調節ねじ（１８）を軸方向及び回転不可能に受け入れるプラグ（１９）を備え、このプラグ（１９）は、前記内側管（１１）内に、軸方向及び回転不可能に保持され、前記内側止め部（３０）を形成することを特徴とする、請求項１０に記載の長さ調節可能な管。
【請求項１４】
前記プラグ（１９）は、前記内側管（１１）内に、軸方向及び回転不可能に、環状フランジ（３２）に至るまで保持されることを特徴とする、請求項１３に記載の長さ調節可能な管。
【請求項１５】
前記外側止め部（２６）は、前記拡張要素（１６）が装着された後前記調節ねじ（１８）の自由端部上に装着され軸方向に固定されるキャップ（２６）又はそこに配置されるねじ頭によって形成されることを特徴とする、請求項１１に記載の長さ調節可能な管。
【請求項１６】
場合により、１つだけの調節範囲より多い調節範囲を提供でき、さらなる調節範囲を、請求項１〜１５のいずれかに記載の拡張装置（１５）を用いて実現することができ、あるいは、場合により外側にも配置される別の拡張装置を用いて実現することができ、最上部の外側管に取っ手を配置し、最下部の内側管にストックの先端部を配置する、請求項１〜１５のいずれかに記載の長さ調節可能な管を有する、スキーストック、トレッキング用ストック、クロスカントリー用ストック又はノルディックウォーキング用ストック。
【発明の詳細な説明】
【技術分野】
【０００１】
本発明は、請求項１のプリアンブルに記載の、特にストック用の長さ調節可能な管に関する。
【背景技術】
【０００２】
特許文献１から公知の長さ調節可能な管の場合、拡張要素には、内側管に向かって先細る雌型コーンが設けられており、雄型コーンが設けられる逆向きの内側要素は、拡張装置の締め付けのために、調節ねじを用いて内側管に向かって調節される。このようにして、比較的平行な締め付けが拡張要素の軸方向長さ全体にわたって生み出されるが、長さ調節可能なストックの柄の側からストックの先端上へ衝撃的な負荷がかかる場合、内側管に対する外側管の軸方向の移動を必ずしも避けることができるとは言えず、締め付け固定時のねじれ運動の際、十分に大きな力が加えられていない場合には特に避けられないことがわかった。
【０００３】
特許文献２は、さらに、雄型コーンが設けられた内側要素を、調節ねじの前方自由端部により形成し、雌型コーンが設けられた拡張要素を調節ねじに沿って軸方向に動かす長さ調節可能な管を公知とする。この場合、拡張要素の雌型コーンは確かに内側管に向かって開いているが、この場合、拡張要素が拡張状態で軸方向に固定されるとき、上述の同じ欠点が生まれる。この場合も、外側管と拡張要素間の相対運動が可能である。
【０００４】
上述の拡張機構の問題は、特許文献３によりある程度解決される。これは、拡張要素の雌型コーンが、内側管に向かって開き、拡張要素が、内側管上の内側止め部と調節ねじの自由端部上の止め部との間で、わずかな限度内で軸方向に移動可能であるよう保持されるように延びるという構成を提供する。それゆえ、この機構は、驚くほど簡単な構成を用いて、負荷がかかると自動的に締め付け固定される。しかしながら、ここでの問題は、上述の構成の場合と同じく、この機構が過度に緩んでいると、外側管の内壁上での拡張要素の摩擦が不十分であるため、機構を締め付けようとすると、内側管を外側管に対し回転させる際にこれが拡張装置全体（締め付けくさびと調節ねじを含む）と一緒に回転してしまい、その結果機構を締め付けることができないという点である。２つの管を骨折ってほぼ完全に引き離し、機構を軽く締め付け、その後再び管を互いに押し付けることによってしか、この問題を解決することができない。本発明は、この状況を改善するためにある。
【先行技術文献】
【特許文献】
【０００５】
【特許文献１】ＤＥ  ２９７  ０６  ８４９  Ｕ１
【特許文献２】ＤＥ  ２９７  ０８  ８２９  Ｕ１
【特許文献３】ＥＰ−Ａ−１４５０９０６
【発明の概要】
【０００６】
従って、特に、本発明の目的は、特に、スキーストック、トレッキング用ストック、クロスカントリー用ストック及びノルディックウォーキング用ストック等のストック用の、長さ調節可能な管のための改良された拡張装置を提供し、前記長さ調節可能な管は、少なくとも１つの外側管と、管の長さを調節するために外側管に入れ子状に（ｔｅｌｅｋｏｐｉｓｃｈ）挿入可能な１つの内側管を有する。この場合、このような構成においては、好ましくは、内側管の挿入端部に保持される拡張装置があり、この拡張装置によって、内側管が外側管内に軸方向に締め付け固定可能であり（拡張要素と外側管の内壁との間の摩擦を用いた摩擦固定）、前記拡張装置は、半径方向に押し開くことができる、雌型コーンが設けられた拡張要素と、逆向きの雄型コーンが設けられた、拡張要素内に軸方向に移動可能に収容される内側要素と、内側管上に回転不可能に保持され、内側要素内の、雌ねじ付き穴と作用連結されている軸方向に向いた調節ねじとを備える。この場合、拡張要素は、ねじ山なしの通路開口部をもち、調節ねじがこれを通り抜ける。言い換えれば、調節ねじと拡張要素の間には何ら直接的な相互作用がないので、拡張要素を回転させることなく、拡張要素を、確定された軸方向の遊びの枠組みの範囲で、調節ねじにそって軸方向に移動させることが可能である。
【０００７】
このような構成は、特に好ましくは、拡張要素上又は拡張要素内に締め付け部分が配置され、この締め付け部分は、少なくとも接触面の領域において半径方向に、緩めた状態で、内側要素との相互作用の結果として起こる拡張領域内の拡張要素の半径より大きい半径を有することを特徴とする。この場合の拡張領域とは、広がっているだけでなく、その際外面により外側管の内面と接触し、これに対応して２つの管の間の実際の軸方向の固定を保証する拡張要素の領域のことである。さらに、前記締め付け部分は、少なくとも接触面の領域で、復元力（Ｒｕｅｃｋｓｔｅｌｌｋｒａｆｔ）に対し弾性的に、拡張要素の軸に向かって少なくとも拡張要素の半径まで、内側へずらす又は移動させることができる。
【０００８】
この場合、緩めた状態での締め付け部分の半径は、外側管の内径よりちょうどいくらか大きいように選ばれる。これにより、拡張装置の締め付け状態に関係なく、つまり、どのような軸方向位置で内側要素が拡張要素に対し存在するかに関係なく、前記締め付け部分は、常に、外側管の内壁と当接状態となる。従って、常に、そして拡張装置の締め付け状態とは独立に、締め付け部分と内壁との間の接触があり、この接触の結果、十分な摩擦が存在することとなり、内側管が外側管に対し回転されるとき、拡張要素は外側管に関して回転的に固定され、それゆえ、拡張装置全体を用意には回転にひきずりこめず、それ自身を締め付けることができない。それ自体単純な前記構造的方策は、すばらしい効果を有する。というのも、これは、まさに上述の問題、つまり、装置が過度に強く緩められていると、もはや、骨の折れる操作なしには再びそれを固定できないという問題を完全に解決する。
【０００９】
前記装置の第１の好ましい実施形態は、拡張要素が、内側管の方に向くその軸方向領域に円筒形部分を有し、これは内側要素によってわずかしか拡張されず、又は実質的には拡張されないこと、及び、この円筒形部分に前記締め付け部分が配置されることを特徴とする。円筒形部分のこの領域でも、拡張要素は、ある程度拡張できる（特に拡張要素の全長にわたって延びる軸方向の隙間がある場合）が、この拡張は、前記領域の外径がより小さいために、原則、締め付け効果に寄与しないか、又は無視できるほどにしか寄与しない。もちろん、この締め付け部分を、拡張領域、つまり、内側要素との相互作用の結果、外側要素が外側管の内壁に対して締め付けられて拡張される領域にも配置してもよいが、この締め付け部分が、装置の実際の軸方向の締め付け作用に直接関連しないこのような軸方向領域に配置されると、構造的に単純で、効果の面でより信頼できることが分かっている。
【００１０】
好ましくは、前記円筒形部分は、内側管に向いている拡張スリーブの領域を形成し、実際の拡張部分（つまり、機構が締め付けられると、拡張要素が内側要素によって拡張され、外側管の内壁に押し付けられる領域）は、調節ねじの自由端部の側にある領域を形成する。好ましくは、円筒形部分はまた、拡張部分と同じように円筒形であるが、拡張部分より外径が小さい。言い換えれば、外側の輪郭上には、拡張部分とこの円筒形部分の間に、テーパの形をした、好ましくは環状の段部がある。前記テーパは、好ましくは、拡張要素の外径に応じて異なって作られる（ａｕｓｐｒａｅｇｅｎ）。拡張要素の外径が１５ｍｍの場合（それぞれ締め付け部分の外径は外側管の内径に相当する）、例えば、前記段部はそれぞれの側で０．５〜１．５ｍｍ（半径の差）、拡張要素の外径が１４ｍｍの場合、段部はそれぞれの側で０．２〜１ｍｍ（半径の差）、そして、拡張要素の外径が１２ｍｍの場合、段部は、例えば０．１〜０．５ｍｍ（半径の差）等と非常に小さい。
【００１１】
円筒形部分は、好ましくは、拡張部分より軸方向の長さが短い。典型的には、円筒形部分の最大長は、拡張部分と同じ長さであるが、好ましくは、拡張部分の長さの四分の一から半分の長さである。言い換えると、好ましくは、拡張要素は、内側管の方に向く側に、まず、拡張要素の全長に関して１０〜５０％の軸方向長さにわたって、好ましくは拡張要素の全長の２０〜３０％の範囲の軸方向長さにわたって円筒形部分によって形成され、その後、拡張要素の全長の残りの長さにわたって、拡張部分が続くように形成される。言い換えると、拡張部分は拡張要素の上側閉鎖部を形成する。
【００１２】
このような構成は、締め付け部分を、２つの軸方向に延びるスリットによって円筒形部分から分離して形成される少なくとも1つのタブの形で形成し、このタブが少なくとも片側で、弾性連結部として円筒形部分に作用するアームを介して円筒形部分に連結することによって、特に単純で構造的に確実に形成することができる。このようなアームは片側だけにあると特に好ましく、これは、タブが内側管の方に向く自由端部を有することを意味し、この領域において、好ましくは、半径方向外側に向かい、好ましくは外側管の内面に当たる円錐状に延びる接触面を提供する。このときアームは、ある程度弾性ばね部材として働く。
【００１３】
好ましくは、少なくとも２つの締め付け部分が、拡張要素上、特に好ましくは、上に挙げた拡張要素の円筒形部分に、好ましくは対向して位置させて、又は、２つより多い場合は、円周の周りに均等に分布させて配置される。特に好ましくは、前記円筒形領域に、２つの、対向して位置される締め付け部分が、外側管にできる限り対称な支えを保証するように存在する。
【００１４】
典型的には、特に、例えばポリエチレン、ポリアミド、ポリカーボネート等のプラスチック材料から拡張要素を形成すること、場合により繊維強化形成物と組み合わせて、締め付け部分の大きいほうの半径が少なくとも１％、好ましくは少なくとも２％、特に好ましくは３〜８％の範囲で、緩めた状態での拡張要素の半径より大きければ十分であることが分かっている。この突出する寸法は、一方で、内径の許容範囲に依存するが、他方、締め付け部分によって提供される弾性復元力（ｅｌａｓｔｉｓｃｈｅｎ  Ｒｕｅｃｋｓｔｅｌｌｋｒａｆｔ）の強さにも依存する。弾性復元力は、例えば、拡張要素全体が一体的に形成されている場合、アームの厚み及び幅、並びに用いられる材料の選択により決定される。締め付け部分の前記弾性作用による締め付けは、緩めた状態で、拡張要素が内側管とともに回転されないように十分大きくなければならないが、緩めた状態で、２つの管の互いに対する軸方向の移動が阻止されるほど大きくてはいけない。好ましくは、既に詳しく上に述べたように、締め付け部分を拡張要素と一体的に形成すると特に簡単である、なぜなら、拡張要素を一回だけの射出成形工程でプラスチック材料から形成でき、現存する締め付けくさび上にある程度のせることができるからである（リパワリング／アップグレード）。
【００１５】
拡張装置を完全に緩めた場合の問題のさらなる改良として、それぞれ軸方向に延びる突起部を、拡張装置の方に向く内側管の止め面上に、及び／又は、内側要素の、内側管の方に向く止め面上に配置することができる。すなわち、内側要素が内側管の方へあまりにも強く回転させられると（これは特に、拡張要素が、上記の締め付け部分によって外側管に関して特にしっかりと固定される場合に考えられる）、内側要素が、内側管上の止め部に平面的に（ｆｌａｅｃｈｉｇ）当接することによりこれに引っ掛かり、もはや締め付け機構を完全に取り外すことなく緩めることはできない。これは、内側要素上か内側管上のいずれか、または好ましくは両要素上に配置された前記突起物によって大幅に避けることができる。なぜなら、大きな摩擦を有する平面的な当接はもはや起こらず、スポット的な（ｐｕｎｋｕｔｕｅｌｌ）当接しか起こらないからである。
【００１６】
このような突起物の特に好ましい工法は、各突起物を傾斜部の形で形成し、これは、円周方向において徐々に起伏をつけて、又は直線状に、又は段状に作り上げられ、好ましくは軸方向の止め面（段部、軸に平行な平面）で終わることを特徴とする。好ましくは、このような傾斜部は通常、０．１〜３ｍｍの範囲、好ましくは０．２〜１ｍｍの範囲の軸方向高さを有する。
【００１７】
このような突起部が内側管上及び内側要素上の両方に配置され、内側管の方に内側要素を回し下げるとき、これらが、２つの軸方向の止め面が平面的な当接位置へと移動できるよう、互いに対し反対方向に進むように形成されると特に好ましい。
【００１８】
さらに好ましい実施形態は、拡張要素の雌型コーンが、内側管の方へ開くように延びること、及び、拡張要素が、内側管上の内側止め部と、好ましくは調節ねじの自由端部上の外側止め部との間でわずかな限度内で軸方向に移動可能なように保持され、前記軸方向の遊びが好ましくは０．１〜５ｍｍの範囲内、特に好ましくは０．２５〜２．５ｍｍの範囲内であることを特徴とする。
【００１９】
この場合、拡張要素は、カップ状に形成することができ、カップの底を、内側管とは反対側の調節ねじの自由端部領域がねじ山のない通路開口部を通って突き抜け、好ましくは、外側止め部は、拡張要素が装着された後調節ねじの自由端部上に置かれ軸方向に固定されるキャップ、又はそこに配置されるねじ頭によって形成される。
【００２０】
拡張要素は、さらに、円周領域に、軸方向長さ全体にわたって延びるスリット、及び、好ましくは、さらに、円周上に対向して配置され、且つ、実質的に内側管に向く円筒形部分まで拡張要素を通り抜けて延びるスリットを設けることができ、好ましくは、雄型コーンを備える内側要素が、拡張要素の軸方向のスリット内でガイドされる、１又はそれ以上の、半径方向及び軸方向に延びるウィングを備える。
【００２１】
拡張装置は、さらに、調節ねじを軸方向に及び回転不可能に受け入れるプラグを備え、このプラグが、軸方向に及び回転不可能に、好ましくは円周フランジに至るまで内側管内に保持され、内側止め部を形成する。
【００２２】
最後に、本発明は、場合により、調節範囲を１つだけでなくそれ以上提供することもでき、さらなる調節範囲を、上述の拡張装置を用いて、又は、場合により外部にも配置される別の拡張装置を用いて、実現することができ、最上部の外側管に取っ手を配置し、最下部の内側管にストックの先端部を配置する、上述のような長さ調節可能な管を有するスキーストック、トレッキング用ストック、クロスカントリー用ストック又はノルディックウォーキング用ストックに関する。
【００２３】
さらなる実施形態は、従属請求項に記載する。
【図面の簡単な説明】
【００２４】
【図１】図１は、内側管及び外側管なしの拡張装置の異なる図を示し、ａ）に第一の側面図を、ｂ）に９０°回転させた側面図を、ｃ）に上からの上面図を、ｄ）に下からの図を、ｅ）に図ａ）中Ａ−Ａの軸方向断面図を、ｆ）に図ｂ）中Ｂ−Ｂの軸方向断面図を、及びｇ）に斜視図を示す。
【図２】図２は、内側管から外側管への移行部に拡張装置を備えた管部分を示し、ａ）に側面の外側図を、及びｂ）にａ）中Ｃ−Ｃの断面図を示す。
【図３】図３は、拡張要素だけの異なる図を示し、ａ）に第一の側面図を、ｂ）に９０°回転させた側面図を、ｃ）に上からの上面図を、ｄ）に下からの図を、ｅ）に図ａ）中Ａ−Ａの軸方向断面図を、ｆ）に図ｂ）中Ｂ−Ｂの軸方向断面図を、及びｇ）とｈ）に９０°回転させた２つの斜視図を示す。
【図４】図４は、締め付けくさび及び拡張要素を装着せず、位置的に固定した調節ねじを備える端部プラグの異なる図を示し、ａ）に第一の側面図を、ｂ）に９０°回転させた側面図を、ｃ）に上からの上面図を、ｄ）に下からの図を、ｅ）に図ａ）中Ａ−Ａの軸方向断面図を、ｆ）に斜視図を示す。
【図５】図５は、締め付けくさびだけの異なる図を示し、ａ）に第一の側面図を、ｂ）に９０°回転させた側面図を、ｃ）にさらに９０°回転させた側面図を、ｄ）にさらに９０°回転させた側面図を、ｅ）に図ｂ）のＡ−Ａの軸方向断面図を、ｆ）に上からの上面図を、ｇ）に下からの図を、ｈ）及びi)に９０°回転させた２つの斜視図を示す（図１〜４の図は、互いに対し一定率で拡大したものであるが、斜視図はそうではなく、図５の図はより分かりやすくするために図１〜４に対し、２：１のより大きい縮尺で与える）。
【図６】図６は、調節ねじの足部の詳細を示し、ａ）に図４ａ）に対応する拡大された一部分の側面図を、ｂ）に調節ねじの足部の断面図を、並びに、カラー又は締め付けくさび上の２つの傾斜部が当接状態にある締め付けくさびの斜視図を示す。
【発明を実施するための形態】
【００２５】
本発明の好ましい実施形態を、図を参照して以下に説明するが、これらは単に例示の目的のためのものであって、限定するものとして解釈されるべきではない。
【００２６】
本発明の締め付け機構の例示の実施形態を、以下で説明する図１〜５に示す。図１は、より分かりやすくするために管のない締め付け機構を示し、図２は、外側管及び内側管をつけた締め付け機構を示し、図３は、拡張要素だけを示し、図４は調節ねじを備えた端部プラグのみを示し、図５は、内側要素、より具体的には締め付けくさびだけを示す。図６には、機構の詳細をその説明のために示す。このとき、異なる図で表示の参照番号は、それぞれ、同一の構造的特徴を示す。
【００２７】
図、特に図２に示される長さ調節可能な管１０の接続部分の場合、内側管１１は、外側管１２に入れ子式にガイドされる。このために、内側管１１の外側管１２の方に向く端部１３に拡張装置１５が設けられ、この拡張装置により、内側管１１を外側管１２内の任意の位置で締め付けて固定できる。外側管１２は内側管１１の方に向く端部に円周状のプラスチックのスリーブ１４を有し、この中に外側管１２が押し込まれる及び／又は接着される。このオプションのスリーブは、内側管のよりよいガイドに寄与し（スリーブ１４は実際には、外側管を越えて突出する領域において全周囲にわたり内側管の周りにも係合する）、これにより、扱いやすくなり、例えば、調節操作時に２つの管部分の間に皮膚が挟まることを防止し、一般的に、使用するアルミニウム管の鋭いエッジで負傷する危険を減らす。このようなスリーブは、典型的には、プラスチック材料、例えばポリエチレン、ポリカーボネート、ポリアミド、又はこれらの混合物から製造され、ないしはこれらの２成分構造法で製造される。しかしながら、このスリーブは、特に美的理由から、金属から成ってもよい。
【００２８】
拡張装置１５は、拡張要素１６の形をした外側要素と、締め付けくさびとも呼ぶ内側要素１７と、通常金属から成るがプラスチック材料から製造されてもよい調節ねじ又は雄ねじ付きロッド１８とを有する。
【００２９】
雄ねじ付きロッド１８は、管１０の軸方向に配置され、その一端領域によって、内側管１１の挿入端部１３上に回転不可能に保持される。このため、雄ねじ付きロッド１８は、端部プラグ１９に差し込まれるか、ねじこまれるか、又は端部プラグに一体的に成形されるかなどされて、前記端部プラグに接着等により軸方向に固定され、回転不可能に保持される。端部プラグ１９も、内側管１１内に軸方向に固定され回転不可能に保持される。典型的には、端部プラグ１９は、完全に内側管１１内にある挿入領域と、環状フランジとを有し、このフランジの外径は内側管１１の外径に相当し、このフランジは、前記内側管が端部プラグ１９上を押し動かされ（ａｕｆｓｃｈｉｅｂｅｎ）、摩擦固定及び／又は接着接合及び／又は形状固定（Ｆｏｒｍｓｃｈｌｕｓｓ）のいずれかにより前記端部プラグに固定して接続される場合、内側管１１の止め部として働く。
【００３０】
内側要素１７はその軸方向中央の雌ねじ２１により、雄ねじ付きロッド１８にねじ接続される。内側要素１７は、外側にコーン２２が設けられるか、又は、円錐状に形成される。
【００３１】
外側コーン２２は、雄ねじ付きロッド１８の自由端部に向かって先細る。雄ねじ付きロッド１８は、内側要素１７の雌ねじ付き穴２１を突き抜け、その突出する自由端部で外側止め部２６に回転不可能に接続される。外側止め部２６は、典型的にはねじ頭２６によって形成される。つまり、連続するスリットを備える拡張要素を形成する場合、このような装置は、第１の工程でねじ頭２６を備える調節ねじ１８を用いて内側要素１７をねじ１８にねじ接続し、その後この調節ねじ１８を端部プラグにねじ接続し、続いて拡張装置を連続するスリット４４によって広げながら側方に被せるというやり方で、簡単に組み立てられる。
【００３２】
外側拡張要素１６は、領域３６内の拡張可能な本体２３に、雌型コーン又は雌型テーパ２７を有し、この傾斜は内側要素１７の雄型コーン又は雄型テーパ２２の傾斜に相当する。図中の表示によると、内側要素１７は、逆向きの拡張要素１６内にほぼ遊び無し（ｓｐｉｅｌｆｒｅｉ）に受け入れられ、締め付けくさびの雄型コーン２２は拡張要素の雌型コーンより短い。図示された配置に対応して、拡張要素１６の雌型コーン又は雌型テーパ２７は内側管１１に向かって開いている。例えば、拡張要素１６は、プラスチック材料から製造することができ、内側要素１７は金属又はプラスチック材料から製造することができる。
【００３３】
特に、拡張要素１６を示す図３から分かるように、前記拡張要素は、実際の拡張領域３６、つまり、拡張可能な本体２３の領域を有し、ここには、円錐状に先細る領域２７が内部に配置され、内側要素１７との相互作用により、内側要素が外側要素１６へと入り込む時に実際の拡張が起こる。拡張要素は、下側、つまり内側管１１の方向につながる領域に円筒形領域３８を有し、これは領域３６とは異なり、締め付け状態でも外側管１２の内壁と接触しない。この領域３８には締め付け部分１があり、これは、内側管１１の方を向き自由端部を有する弾性タングの形で形成される。この部分１は、ある程度、領域３８から、周囲にずれて軸方向に延びる２つのスリット３により形成され、このスリットは、内側管に面する側から、軸方向領域３８を、部分的に、好ましくは約２／３〜３／４だけ通り抜ける。従って、締め付け部分１は、拡張要素１６の残りの部分と一体的に形成されるため、ばね要素又は板ばねという方法で実現される。射出形成法の場合、前記要素１は半径方向外側に突出するその自由端部で形成されるので、自由端部の領域において接触ゾーン２が形成される。この接触ゾーン２において、締め付け要素１は、半径ｒ２（緩めた状態での）が、拡張要素の締め付け領域３６の半径ｒ１（緩めた状態での）より大きく、機構の締め付け状態とは関係なく外側管１２の内径よりいくらか大きいという事実により、外側管１２の内壁と接触する。領域２においてできる限り良好な締め付け作用を確保するため、この領域には、外側管１２の内側曲率と同じ円周曲率を持たせる。軸方向において、接触領域２は、外側管の異なる内径に応じるように、直線状に、又はわずかに凹状に形成することができる。
【００３４】
この場合、円周周りに見ると、このような締め付け部分１が２つ対向して位置しており、対称な締め付けが保証される。
【００３５】
一体形端部プラグ１９には、内側管１１内で回転不可能且つ移動不可能に保持される内側部分３１と、内側管１１の環状の端面にのるカラー又は環状フランジ３２とが設けられる。
【００３６】
拡張要素１６はカップのような形をしており、カップの底３６は、調節ねじ１８の自由端部領域によって貫通される通路開口部３７を有するがねじ山を備えていない。カップの底３６は、調節ねじ１８に対し回転せずに軸方向に移動可能である。拡張要素１６の本体２３は、外周囲に１又は複数の摩擦ライニングが設けられているか、コーティング等がなされているか、又は、その表面形成物（例えば、長手方向のリブ４０及びその隣に平行に並ぶ刻み目３９）により、外側管１２の内周に対し摩擦力を高めるように形成することができ、カップの底３６から遠い方の、内側管１１の方に向いているその端部に、既に上で述べた、より小さい外径を有する円筒形肩部３８を有する。その結果、拡張要素１６は、好ましくは、調節ねじ１８の自由端部上の外側止め部２６と内側止め面２８との間に、わずかな限度内で軸方向に移動可能なように置かれる。２つの止め面２４及び２８の間の間隔は、カップ底部３６の外面と円筒形肩部３８の環状端面との間の拡張要素１６の軸方向の長さよりいくらか大きい。
【００３７】
しかしながら、これの代わりとして、外側止め部を、例えば、特にこのために設けられる調節ねじ上の環状フランジと、拡張要素上の対応するリブによって提供することもでき、前記内側止め部にも同じことが適用され、この内側止め部は必ずしも端部プラグ１９上にのっている必要はない。このような実施形態にとって重要なことは、拡張要素１６が、固定操作時、調節ねじの自由端部の方向に止め部へと動かされ、前記位置に達した後は、拡張要素が内側管の方に一定の明確に定義された遊びを有するために、負荷がかかる、すなわち２つの管が互いのほうへ相対的に移動すると、拡張要素は内側要素上をさらにもっと押し進められて、２つの円錐状面が互いにさらにいっそう押しつけられ、締め付け機構がさらにいっそう固定されることである。
【００３８】
内側要素１７は、外側コーン２２の、互いに直径方向反対側に位置する２つの周囲領域にそれぞれウィング４１，４２を有し、この長手方向に延びる端面は、ストックの軸に平行に延びる。各ウィング４１，４２は、拡張要素１６の、対応する幅のスリット４３，４４内で軸方向にガイドされる。このようにして、内側要素１７は、拡張要素１６に対して軸方向に動くとき、前記拡張要素に関し回転不可能である。２つのスリット４３，４４は、実質的に拡張要素１６の本体２３の長手方向の長さにわたって設けられ、すなわち、円筒形肩部３８の領域へはわずかに延びるだけである。言い換えると、これはまた、互いに直径方向反対側に位置するウィング４１及び４２の最大の半径寸法が、円筒形肩部３８の内径よりいくらか大きいことを意味する。
【００３９】
拡張要素１６は、その外周に、４つの切り込み４０が設けられ、これらはそれぞれ、互いに対し軸対称又は点対称に配置され、長手方向に延び、拡張要素１６の本体２３のほぼ全長にわたって延びる。これにより、拡張要素１６の確定した周囲締め付け領域が生まれる。
【００４０】
拡張要素１６（最初に通されていない場合）を後から調節ねじ１８と内側要素１７の上側にもっていくために、拡張要素１６は軸方向に連続するスリット４４を有し、このスリットで拡張要素１６を半径方向に開いて内側要素１７と調節ねじ１８の上側にもっていくことができる。
【００４１】
拡張装置１５を用いて外側管１２内で内側管１１を締め付けるために動かす場合、内側管１１、それに伴い調節ねじ１８を外側管１２に対して右へと回転させ（左巻きのねじ山の場合）、又は左へと回転させ（右巻きのねじ山の場合）ることにより、内側要素１７は内側管１１から遠ざかり、拡張要素１６はまず同じ方向に外側止め部２６まで動かされるか又は押される。内側要素１７がさらに軸方向に動かされると、拡張要素１６は半径方向に拡張されるので、拡張要素１６の外周が外側管１２の内周に圧力が加わった状態で当接する。この状態では、拡張要素１６は、内側止め面３０から所定の小さな間隔をあけている。その後、内側管１１を多かれ少なかれ高いトルクで外側管１２に締め付けた状態で、例えばハンドルが設けられる外側管１２からストック先端部が設けられる内側管１１に向かって発生する衝撃のような軸方向の負荷が与えられると、拡張要素１６が外側管１２内に締め付け固定されているため、内側要素１７は軸方向に動くことができる。これは、内側要素１７が拡張要素１６の内側コーン２７へとさらに動き、拡張要素１６のさらなる拡張、従って内側管１１と外側管１２との間の保持力の増加につながることを意味する。
【００４２】
このような機構が完全に緩められると、実際の締め付け領域３６において、内側要素が内側管の方に十分な量ねじ込まれている場合には、外側管の内面との接触面が全くない又はわずかしかないことが起こり得る。このとき、外側管に対し内側管を回転させることにより機構を固定しようとすると、拡張要素は、外側管の内面に沿って非常にたやすく滑ることができるのでいっしょに回転してしまう。この場合、機構は、もはや固定することができないが、これは、上述の締め付け部分１と上述のその操作方法により、効果的に避けることができる。内側管、より具体的にはそこに配置される止め面３０に対し、内側要素が極端に回転されると、それと関連する問題が生まれる。内側要素は円筒形部分２０を有するため、止め面３０に面する面２４は、止め面３０と平面的に接触する。この場合に起こる摩擦が、その後、機構を再び固定できなくする可能性がある。実際には、内側管１１と調節ねじ１８はもちろん一緒に回転しなければならず、内側要素１７と拡張要素１６は同じ回転位置で、外側管に対し回転不可能のままでなければならない。内側要素が、止め面３０にて平面的に当接した状態であまりにも強く回転されると、拡張要素１６上の締め付け部分１ももはや十分な摩擦を提供できない。これは、内側管１１を回した時に、内側要素と拡張要素を含む機構全体がいっしょに回転してしまい、もはや固定が不可能となる事態につながる。これは、特に図５により分かるように、突起部２５を内側要素上の止め面２４に配置することによって阻止できる。これは、止め面２４が端部プラグ上の止め面３０と平面的に接触するのを防ぎ、これにより、内側要素と端部プラグの間のそのような強すぎる固定を防ぐことができる。これに代えて、又はこれに加えて、端部プラグ１９の面３０に突起部２８を配置することができ、これは実質的に同じ機能を担う。
【００４３】
内側要素上に、突起部２５を軸方向の閉鎖面３４で終端する立ち上がり傾斜部の形で配置し、それに対応して軸方向部分３５を備える傾斜部２８を端部プラグ１９上に同様に設けると特に有利である。この場合、前記２つの傾斜部２５及び２８は、特に図６ｃ）の斜視図で分かるように、相対的に、それらの傾きに関して及びそれらの高さに関しても、これらが回転方向に平面的に当接できるように配置される。従って、もはや面３０との接触は決して起こらず、その結果、端部プラグと内側要素との間に、機構の固定を妨げる摩擦も構築されない。端部プラグにできるかぎり有利に傾斜部２８を配置できるように、調節ねじ上の端部プラグ１９に隣接する領域にテーパ領域２９を形成することにより、傾斜部２８をできる限り広く形成でき、調節ねじを取り付ける際、一定の許容範囲がある。
【符号の説明】
【００４４】
１      弾性締め付け部分
２      １の接触面
３      １に対する３８内の軸方向の制限スリット
４      １のアーム
１０    長さ調節可能な管
１１    内側管
１２    外側管
１３    外側管の方に向く内側管の端部
１４    管スリーブ
１５    拡張装置
１６    拡張スリーブ、拡張要素
１７    内側要素、締め付けくさび
１８    雄ねじ付きロッド、雄ねじ付きあるロッド、調節ねじ
１９    端部プラグ
２０    締め付けくさびの円筒形部分
２１    締め付けくさびの軸方向のねじ山付き穴
２２    締め付けくさびの外側コーン
２３    拡張スリーブの拡張可能な本体
２４    締め付けくさび上の下部止め面
２５    締め付けくさびの下部止め面上の傾斜部、くさび
２６    外側止め部、ねじ頭
２７    拡張スリーブの内側コーン
２８    端部プラグのカラー上の傾斜部
２９    調節ねじのテーパ領域
３０    端部プラグのカラーの上面、拡張スリーブのための下部止め部
３１    内側管に配置される端部プラグの部分
３２    環状フランジ
３４    締め付けくさび上の傾斜部の軸方向止め面
３５    カラー上の傾斜部の軸方向止め面
３６    １６の拡張領域
３７    拡張スリーブを通るねじ山なしの通路開口部
３８    拡張スリーブの円筒形肩部
３９    拡張スリーブの外面内の軸方向切り込み
４０    拡張スリーブの外面上の軸方向リブ
４１    ウィング
４２    連続スリット内のウィング
４３    スリット
４４    連続スリット
４５    スリット４３の底部
Ａ      １６の軸
ｒ１    １６の拡張領域内の外面の外径
ｒ２    弾性締め付け部分の外径
【図１ａ）】
0006336444.tif 000002
【図１ｂ）】
0006336444.tif 000003
【図１ｃ）】
0006336444.tif 000004
【図１ｄ）】
0006336444.tif 000005
【図１ｅ）】
0006336444.tif 000006
【図１ｆ）】
0006336444.tif 000007
【図１ｇ）】
0006336444.tif 000008
【図２ａ）】
0006336444.tif 000009
【図２ｂ）】
0006336444.tif 000010
【図３ａ）】
0006336444.tif 000011
【図３ｂ）】
0006336444.tif 000012
【図３ｃ）】
0006336444.tif 000013
【図３ｄ）】
0006336444.tif 000014
【図３ｅ）】
0006336444.tif 000015
【図３ｆ）】
0006336444.tif 000016
【図３ｇ）】
0006336444.tif 000017
【図３ｈ）】
0006336444.tif 000018
【図３ｊ）】
0006336444.tif 000019
【図４ａ）】
0006336444.tif 000020
【図４ｂ）】
0006336444.tif 000021
【図４ｃ）】
0006336444.tif 000022
【図４ｄ）】
0006336444.tif 000023
【図４ｅ）】
0006336444.tif 000024
【図４ｆ）】
0006336444.tif 000025
【図５ａ）】
0006336444.tif 000026
【図５ｂ）】
0006336444.tif 000027
【図５ｃ）】
0006336444.tif 000028
【図５ｄ）】
0006336444.tif 000029
【図５ｅ）】
0006336444.tif 000030
【図５ｆ）】
0006336444.tif 000031
【図５ｇ）】
0006336444.tif 000032
【図５ｈ）】
0006336444.tif 000033
【図５ｉ）】
0006336444.tif 000034
【図６ａ）】
0006336444.tif 000035
【図６ｂ）】
0006336444.tif 000036
【図６ｃ）】
0006336444.tif 000037